(57)【要約】      （修正有）【課題】海岸に近い沖合いで、二度三度と押し寄せる津波の質量輸送エネルギーを各々遮断し、小さい波に戻す手段を提供する。【解決手段】船底のようなＶ形の両端を仕切り壁３で閉じたＶ形タンク２の長手方向両サイド上に浮き５を設け、Ｖ形タンク２の最下端突先に長手方向に錘４を付け、両サイド浮き下から、おのおのワイヤーロープ６で海底８の錘にＶ形タンク２が海面に安定して浮く状態に繋いで定置する。Ｖ形タンク２を、海岸１０に近い沖合いに線状に幾重にも配備定置して、沖合いに数列の大きな長い空気の溝を設置したことになる。Ｖ形タンク２の空気層容積分の大波を自動的に吸収できる。タンク内の雨水、波しぶきなどは適時、排水する。【選択図】図１
2014066124.tif 000002
【特許請求の範囲】
【請求項１】
図１に示すように、両端を閉じた長い船底のようなＶ形のエアータンクの長手方向の両サイドに浮き、Ｖ形エアータンクの最下端突先に長手方向の錘をそれぞれ配備し、本体仕組み全体が海面に安定して浮く状態で定置できるように両サイドの浮き下からおのおのワイヤーロープで海底の錘に繋ぐ。本体エアータンク内が満水状態でも全体が浮くように重量、浮力のバランス調整する。本体Ｖ形エアータンクはおのおの補強間仕切り壁を設け最下端に通水穴があるので、定置時、雨水や波しぶきが入っても偏りを防止でき、一定水位以下に巡回排水することで本体Ｖ形エアータンクの列が海面に長い空間の溝を構成配備した状態になる。平常波時、図１のように直列に定置を適材適所複数列配備する。津波が次々と押し寄せると沖から順番に一波二波三波と本体Ｖ形エアータンクに幅ｗ、高さｈ分の波が落ち込み津波の質量輸送エネルギーが緩和され反動で生じる波だけが海岸に向かう。幾重にも配備することで海岸沿岸に津波の質量輸送エネルギーがそのまま到達することを防止できる。平常時は、支障のない範囲で船舶の航行、漁業、養殖、海上保安など地場産業に応用利用が可能であり防災と産業両立が見込める。潮流その他、地域設置場所の諸条件にも双方どちらから津波が到達しても効果が得られるので、他との併用にも充分貢献できる。経済性、即応急性、二方向対応、耐久性、排水巡回メンテナンスも容易など多方面で利点が備わっている簡素で画期的システムである。
【発明の詳細な説明】
【発明の詳細な説明】
【００１】現象による不可欠な問題
人類史上で数多くの天災地変を経験し未だ解決の見えない災害の一つである津波に関して、海岸近くで幾重にも積み重なった大波を岸壁で防ぐのには限界があります。海岸に近い沖合いで、二度三度と押し寄せる津波の質量輸送エネルギーを各々遮断し、小さい波に戻す手段が必要火急の課題である。
【００２】従来の方法による実例とその結果
世界中の海岸沿岸地帯の多くが堤、防潮堤、消波ブロックなど波の質量輸送エネルギーを、そのまま受け止めようとする方法のため想定外の大津波による大災害を被るのが実情である。かつ、それぞれの設備自体が他に利用貢献度が少ない。
【００３】当発明のシステムと従来の欠点の解決方法
当発明は、海岸に近い沖合いに船底のようなＶ形の長い溝状のタンクを、海面下に安定定置して、平常時は漁業、養殖、海上保安などに有効利用できるので設置そのものの価値貢献度も見込める。二度三度と押し寄せる大津波を、この長く幾重にも定置したＶ形エアータンクに次々と落とし込み津波質量輸送エネルギーを遮断し、余波だけが海岸沿岸に向かうようにして、従来と全く異なる新たな大津波防災に役立ち地域に貢献できる。
【背景技術】
【００４】近年、可動式防波堤をはじめパイプ浮上式防波堤などが開発され実用化されつつありますが、どれも津波の質量輸送エネルギーをそのまま受け止める方式ゆえに、本来の効果が得られないのが実態である。【００５】発明が解決しょうとする課題
人類にとって海岸は、自然を尊重しつつ共生するためには欠かすことの出来ない地帯が多い。特に日本のように八方海岸、平野が少なく、地震多発地帯でもあり津波に対する防災対策が最大の課題の一つで、防潮防波堤、高台移転、避難などに頼るだけでなく、沖合いで二度三度と押し寄せる津波そのものの大きな波の質量輸送エネルギーを弱め遮断し海岸沿岸に津波が到達するのを防止する方策が急務である。
【図面の簡単な説明】
【００６】
【図１】本体１を海岸に近い沖合い海上に、一列に定置した実施例姿図
【図２】本体１を海上に定置した時のＶ形タンク、海面、海底の関係断面図
【図３】本体１を海上に定置した時の側面断面図
【図４】本体１の上面図
【図５】定置した本体に津波が到達した時の津波の山幅、高さ、本体Ｖ形タンクの幅、高さとの相関断面図
【図６】広く奥深い海峡、入り江の場合の本体配備実施例
【図７】浅い入り江の場合の本体配備実施例
【図８】沿岸に重要設備地帯が隣接している場合の本体配備実施例
【図９】半島先端に重要設備地帯が隣接している場合の本体配備実施例
【図１０】リアス式海岸地帯の場合の本体配備実施例
【図１１】湾全体が港で入り口に外洋港併設している場合の本体配備実施例
【符号の説明】１  本体完成仕組み
２  本体Ｖ形エアータンク
３  本体Ｖ形エアータンク補強間仕切り壁
４  本体Ｖ形エアータンク下端錘部分
５  本体Ｖ形エアータンク両サイド浮き
６  本体Ｖ形エアータンクを海面上に安定定置するために、海底の錘に繋いで深さ調整す    るためのワイヤロープ
７  本体全体を海面上に安定定置するためにワイヤロープを繋ぐ海底の錘
８  海底
９  平常時の海上面
１０  海岸、沿岸
１１  本体Ｖ形エアータンク内下端許容水位線
１２  本体Ｖ形エアータンク補強間仕切壁下端の通水通気穴
１３  一方向から到達した津波質量
１４  一方向から到達した津波質量
１５  １６  １７  それぞれ津波が到達すると思われる進行方向
１８  １９  ２０  それぞれ津波が到達すると思われる進行方向
２１  ２２  ２３  それぞれ津波が到達すると思われる進行方向
２４  ２５  ２６  それぞれ津波が到達すると思われる進行方向
２７  ２８  ２９  それぞれ津波が到達すると思われる進行方向
３０  ３１  ３２  それぞれ津波が到達すると思われる進行方向
【図１】
2014066124.tif 000003
【図２】
2014066124.tif 000004
【図３】
2014066124.tif 000005
【図４】
2014066124.tif 000006
【図５】
2014066124.tif 000007
【図６】
2014066124.tif 000008
【図７】
2014066124.tif 000009
【図８】
2014066124.tif 000010
【図９】
2014066124.tif 000011
【図１０】
2014066124.tif 000012
【図１１】
2014066124.tif 000013
【手続補正書】
【提出日】平成25年1月26日(2013.1.26)
【手続補正１】
【補正対象書類名】明細書
【補正対象項目名】全文
【補正方法】変更
【補正の内容】
【発明の詳細な説明】
【発明の詳細な説明】
【００１】現象による不可欠な問題
人類史上で数多くの天災地変を経験し未だ解決の見えない災害の一つである津波に関して、海岸近くで幾重にも積み重なった大波を岸壁で防ぐのには限界があります。海岸に近い沖合いで、二度三度と押し寄せる津波の質量輸送エネルギーを各々遮断し、小さい波に戻す手段が必要火急の課題である。
【００２】従来の方法による実例とその結果
世界中の海岸沿岸地帯の多くが堤、防潮堤、消波ブロックなど波の質量輸送エネルギーを、そのまま受け止めようとする方法のため想定外の大津波による大災害を被るのが実情である。かつ、それぞれの設備自体が他に利用貢献度が少ない。
【００３】当発明のシステムと従来の欠点の解決方法
当発明は、海岸に近い沖合いに船底のようなＶ形の長い溝状のタンクを、海面下に安定定置して、平常時は漁業、養殖、海上保安などに有効利用できるので設置そのものの価値貢献度も見込める。二度三度と押し寄せる大津波を、この長く幾重にも定置したＶ形エアータンクに次々と落とし込み津波質量輸送エネルギーを遮断し、余波だけが海岸沿岸に向かうようにして、従来と全く異なる新たな大津波防災に役立ち地域に貢献できる。
【００４】従来の技術
近年、可動式防波堤をはじめパイプ浮上式防波堤などが開発され実用化されつつありますが、どれも津波の質量輸送エネルギーをそのまま受け止める方式ゆえに、本来の効果が得られないのが実態である。
【００５】発明が解決しょうとする課題
人類にとって海岸は、自然を尊重しつつ共生するためには欠かすことの出来ない地帯が多い。特に日本のように八方海岸、平野が少なく、地震多発地帯でもあり津波に対する防災対策が最大の課題の一つで、防潮防波堤、高台移転、避難などに頼るだけでなく、沖合いで二度三度と押し寄せる津波そのものの大きな波の質量輸送エネルギーを弱め遮断し海岸沿岸に津波が到達するのを防止する方策が急務である。
【図面の簡単な説明】
【００６】
【図１】本体１を海岸に近い沖合い海上に、一列に定置した実施例姿図
【図２】本体１を海上に定置した時のＶ形タンク、海面、海底の関係断面図
【図３】本体１を海上に定置した時の側面断面図
【図４】本体１の上面図
【図５】定置した本体に津波が到達した時の津波の山幅、高さ、本体Ｖ形タンクの幅、高さとの相関断面図
【図６】広く奥深い海峡、入り江の場合の本体配備実施例
【図７】浅い入り江の場合の本体配備実施例
【図８】沿岸に重要設備地帯が隣接している場合の本体配備実施例
【図９】半島先端に重要設備地帯が隣接している場合の本体配備実施例
【図１０】リアス式海岸地帯の場合の本体配備実施例
【図１１】湾全体が港で入り口に外洋港併設している場合の本体配備実施例
【符号の説明】１  本体完成仕組み
２  本体Ｖ形エアータンク
３  本体Ｖ形エアータンク補強間仕切り壁
４  本体Ｖ形エアータンク下端錘部分
５  本体Ｖ形エアータンク両サイド浮き
６  本体Ｖ形エアータンクを海面上に安定定置するために、海底の錘に繋いで深さ調整す    るためのワイヤロープ
７  本体全体を海面上に安定定置するためにワイヤロープを繋ぐ海底の錘
８  海底
９  平常時の海上面
１０  海岸、沿岸
１１  本体Ｖ形エアータンク内下端許容水位線
１２  本体Ｖ形エアータンク補強間仕切壁下端の通水通気穴
１３  一方向から到達した津波質量
１４  一方向から到達した津波質量
１５  １６  １７  それぞれ津波が到達すると思われる進行方向
１８  １９  ２０  それぞれ津波が到達すると思われる進行方向
２１  ２２  ２３  それぞれ津波が到達すると思われる進行方向
２４  ２５  ２６  それぞれ津波が到達すると思われる進行方向
２７  ２８  ２９  それぞれ津波が到達すると思われる進行方向
３０  ３１  ３２  それぞれ津波が到達すると思われる進行方向
【発明を実施するための形態】
【００７】以下、本発明の実施の形態を図１から図１１に基づいて説明する。
【００８】図２、図３、図４で示すように、間仕切り補強壁を用いて水圧強風などに充分耐え得る断面がＶ形の本体Ｖ形エアータンク１の長手方向両端に、長手浮き構造、Ｖ形底先端に長手方向の錘構造、各々間仕切り補強壁の下端に通水穴を設け底に溜まった水のレベルが揃う構造。両端の長手方向浮き、下端の長手方向錘部分からそれぞれ四隅及び数箇所で海底の錘にワイヤーロープで繋ぎとめる構造で、本体Ｖ形エアータンク自体水没しない浮力を有し、長手方向浮きの一部に避難室設備を設ける。外部には付帯設備として波・風力・太陽光などの簡易発電機能、灯火・通信・発信装置・深さ表示・タンク内水量各種センサー・避難用設備などを設け漁業・養殖など、平常時の地場産業への貢献に備える。
【００９】図５で示すように、広範囲の海面の隆起陥没の後、ベクトルの衝突により幾重にも分波され押し寄せる大津波が海岸沿岸に到達する前の沖合いで、どの方向から到達するか予測できない様な地形地域の洋上海域に通常の平常波では浸水しない高さに両端の長手方向浮きが出るように、それぞれ錘に繋いだワイヤーロープの調整をして定置配備することで二方向のどちらから大津波が到達しても対応できる構造である。大津波が到達した時その質量輸送エネルギーの大半が本体Ｖ形エアータンクの空気層に落ち込みその威力が緩和され余波だけが沿岸に向かう。
【０１０】図６から図１１に示すように、入り江、リアス式重要な海岸沿岸の沖合いに、本体Ｖ形エアータンクの縦列定置を幾重にも配備して大津波襲来に備える。船舶の航路及び漁業・養殖など磁場産業との共存も可能で、平常時支障のない範囲分野の応用利用も可能である。
【０１１】図８、図９で示すように、いずれの方向から大津波が到達するか予測困難な地域場所でも、図で示すような定置配備することで、海岸沿岸地帯を大津波による大災害から護り防災減災が可能となる。定期的にメンテナンス、タンク内排水、巡回パトロールが必要なだけの従来にない理想的な津波対策の手段のひとつである。定置配備に関しては、地域場所に応じて、同時出願中の特願２０１２−１７０４２７Ｃ形と併用することで、よりその効果が得られる。